(57)【要約】【課題】放送センタにストックされていて、俳優が出演し、ロケ地が放映されることになる放送映像番組の活用を図ることで、放送センタの収入増を図ることができるようにする。【解決手段】放送映像番組及びアクセス情報を連結した画面放映イベント媒体を顧客の映像設備に配信し、この時に、俳優及び画面放映俳優関連商品、画面放映ロケ地及び画面放映スポンサーを放送映像番組の配信と同時に、アクセス情報と連結して配信し、顧客の映像設備から送信された当該アクセス情報を受信し、当該アクセス情報が指示する格納手段のＸ−Ｙ軸配列イベント情報の内のいずれかのライン情報及び商品購入決裁情報を顧客の映像設備に配信し、イベント情報を配信することで予め定めた契約に沿って各イベント提供者に配信契約料及び販売商品毎の販売額に所定の率を掛け算して算出された販売貢献料を販売商品該当イベント提供者の端末に送信するコンテンツ処理手段と、を備える。【選択図】図１
2012064111.tif 000002
【特許請求の範囲】
【請求項１】
データ放送システムとリンクした情報提供サービスシステムであって、放送センタから放送用ネットワークを介して通信される放送映像番組及びアクセス情報を連結したイベント情報が提供される情報提供サービスシステムにおいて、
放送映像番組イベント情報、商品購入決裁情報及びこれらの情報に連結されたアクセス情報が格納され、かつ
イベント情報が、商品販売業者ライン情報、任意団体ライン情報及びスポンサーライン情報からなり、
イベント提供者である、放送映像番組で放映される商品の販売を行う商品販売業者と、その下位に位置し、イベント媒体である、該放送映像番組に出演する俳優及び該出演時に俳優が所持し、あるいは画面で放映されることで関連した俳優関連商品、更にその下位に位置して画面放映イベント媒体である、当該俳優、及び俳優関連商品の内、画面で放映された画面放映の俳優関連商品（画面放映俳優関連商品）、更にその下位に位置して画面放映の俳優関連の商品であって商品販売可能な販売商品がツリー構造として前記商品販売業者ライン情報が構成され、
イベント提供者である、放送映像番組で放映されるロケ地に関係する任意団体、その下位に位置し、イベント媒体である、該放送映像番組で画面に放映されるロケ地、更にその下位に位置して画面放映イベント媒体である、画面に放映される各ロケ地（画面放映ロケ地）、更にその下位に位置して画面放映ロケ地の紹介記事及び販売可能な地方産品からなるロケ地詳細ＰＲ記事がツリー構造として前記任意団体ライン情報が構成され、
イベント提供者であるスポンサーと、その下位に位置して、イベント媒体である個々のスポンサー、更にその下位に位置して画面放映イベント媒体である、個々のスポンサーあるいは個々のスポンサーと該スポンサーのコマーシャル商品（画面放映スポンサー）、更にその下位に位置して該画面放映イベント媒体の詳細案内及びその個々のコマーシャル商品がツリー構造で前記スポンサーライン情報が構成され、
前記３つのツリー構造で、Ｘ軸に画面放映イベント媒体が並列され、Ｙ軸に各ラインのライン情報が上位と下位の関係で直列されたＸ−Ｙ軸配列イベント情報が構成されて格納される格納手段と、
放送映像番組及びアクセス情報を連結した画面放映イベント媒体を顧客の映像設備に配信し、この時に、俳優及び画面放映俳優関連商品、画面放映ロケ地及び画面放映スポンサーを放送映像番組の配信と同時に、アクセス情報と連結して配信し、
顧客の映像設備から送信された当該アクセス情報を受信し、当該アクセス情報が指示する前記Ｘ−Ｙ軸配列イベント情報の内のいずれかのライン情報及び商品購入決裁情報を顧客の映像設備に配信し、
顧客が購入する俳優関連商品の販売商品、地方産品の販売商品及びコマーシャル商品の販売商品について販売商品毎に販売額を統計し、
イベント情報を配信することで予め定めた契約に沿って各イベント提供者に配信契約料及び前記販売商品毎の販売額に所定の率を掛け算して算出された販売貢献料を販売商品該当イベント提供者の端末に送信するコンテンツ処理手段と、を備えて、前記アクセス情報によりネットワークを介してアクセス可能なコンテンツプロバイダーが構成されること
を特徴とするデータ放送システムとリンクした情報提供サービスシステム。
【請求項２】
請求項１において、前記商品販売業者ラインには、イベント媒体である、該放送映像番組に出演する俳優及び該出演時に俳優が所持し、あるいは画面で放映されることで関連した俳優関連商品の下位に位置するが初期段階で画面放映イベント媒体とはされず、放映されない俳優関連商品、更にその下位に位置して商品販売可能な販売商品が前述の販売商品に並列してツリー構造に加えられ、
前記任意団体ライン情報には、イベント媒体である、該放送映像番組で画面に放映されるロケ地と同列同等の地方の下位に位置するが初期段階で画面放映イベント媒体とはされず、画面に放映されない各地方、更にその下位に位置して当該ロケ地の紹介記事及び販売可能な地方産品からなる地方詳細ＰＲ記事が前述のロケ地詳細ＰＲ記事に並列してツリー構造に加えられ、
前記スポンサーライン情報には、イベント媒体である個々のスポンサーの下位に位置するが初期段階で画面放映イベント媒体とはされず、画面に放映されない個々のスポンサーあるいは個々のスポンサーと該スポンサーのコマーシャル商品、更にその下位に位置して当該イベント媒体の詳細案内及びその個々のコマーシャル商品が前述のコマーシャル商品に並列してツリー構造に加えられて、Ｘ−Ｙ軸配列イベント情報が構成されて格納されること、
を特徴とするデータ放送システムとリンクした情報提供サービスシステム。
【請求項３】
請求項１または２において、前記コンテンツプロバイダーは、画面放映俳優関連商品、画面放映ロケ地あるいは画面放映スポンサーを順次組み替えて変換して配信することを特徴とするデータ放送システムとリンクした情報提供サービスシステム。
【請求項４】
請求項１または２において、前記コンテンツプロバイダーは、前記Ｘ−Ｙ軸配列イベント情報の内のいずれかのライン情報及び商品購入決裁情報を顧客の映像設備に配信するに際して、顧客の映像設備からのアクセス情報を遅れて受け取るかまたはアクセス情報を一時的に記憶しておいてその後配信することを特徴とするデータ放送システムとリンクした情報提供サービスシステム。
【請求項５】
請求項１から４のいずれかのデータ放送システムとリンクした情報サービスシステムによる情報サービス方法において、
前記コンテンツプロバイダーが、放送映像番組及びアクセス情報を連結した画面放映イベント媒体を顧客の映像設備に配信し、この時に、俳優及び画面放映俳優関連商品、画面放映ロケ地及び画面放映スポンサーを放送映像番組の配信と同時に、アクセス情報と連結して配信し、
顧客の映像設備から送信された当該アクセス情報を受信し、当該アクセス情報が指示する前記Ｘ−Ｙ軸配列イベント情報の内のいずれかのライン情報及び商品購入決裁情報を顧客の映像設備に配信し、
顧客が購入する俳優関連商品の販売商品、地方産品の販売商品及びコマーシャル商品の販売商品について販売商品毎に販売額を統計し、
イベント情報を配信することで予め定めた契約に沿って各イベント提供者に配信契約料及び前記販売商品毎の販売額に所定の率を掛け算して算出された販売貢献料を販売商品該当イベント提供者の端末に送信すること
を特徴とする情報提供サービス方法。
【発明の詳細な説明】
【技術分野】
【０００１】
本発明は、データ放送システムとリンクした情報提供サービスシステム及びこれによる情報提供サービス方法に関する。
【背景技術】
【０００２】
放送のデジタル化により、デジタル圧縮技術によって多チャンネル化が進むとともに、所定の周波数帯域中に、映像信号及び音声信号からなる通常の放送映像ビデオ信号とともにイベント情報を埋め込むことが可能となった。データ放送信号に含ませるイベント情報として、商品又は情報の広告及び宣伝のための情報がある。そして、放送センタから放送ネットワークを介して通信される放送映像番組及びアクセス情報を連結、すなわち融合したイベント情報が提供されて情報サービスシステムが構築される。
【０００３】
特許文献１には、イベント情報のより詳細な情報を、コンテンツ・プロバイダーから入手することができ、商品購入申込等を行うことのできるデータ放送システムとリンクした情報サービスシステムが記載されている。
【先行技術文献】
【特許文献】
【０００４】
【特許文献１】特開２００２−４１４００号公報
【発明の概要】
【発明が解決しようとする課題】
【０００５】
特許文献１には、イベント情報と資料情報との対照テーブルを備え、コンテンツプロバイダーは、対照テーブルを参照して、現在同報通信されているイベント情報に対応する資料情報を、アクセス情報によりアクセスされたときに提供することを行っている。
【０００６】
ところで、放送センタには膨大な量の放送映像番組が蓄積されている。これらの放送映像番組の活用は、収入源増加になるばかりでなく、視聴率の向上にもつなげることができる。
【０００７】
そして、放送映像番組には俳優が出演し、各地のロケ地を放映する番組がたくさんある。従って、このような放送映像番組を活用することは、放送センタの放送映像番組の活用になるばかりでなく、購買欲求を高めることになって商品販売を取り扱う業務にとっては、関連商品の売上増大を図ることができ、また放映されるロケ地に各種の関係で関連する自治体などの任意団体にとっては、関連する各地方のＰＲ活動を放送映像番組を利用して安価行って、旅行者の増加、認知度増大を図ることができるメリットがある。また、このような手法は新規な放送映像番組にも適用することができる。
【０００８】
本発明は、かかる点に鑑みて放送センタにストックされていて、俳優が出演し、ロケ地が放映されることになる放送映像番組の活用を図ることで、放送センタの収入増を図ることができ、商品販売を取り扱う業者、更には自治体などの任意団体にとっても地方ＰＲ効果が派生するデータ放送システムとリンクした情報提供サービスシステム及びこれによる情報提供サービス方法を提供することを目的とする。
【課題を解決するための手段】
【０００９】
本発明は、データ放送システムとリンクした情報提供サービスシステムであって、放送センタから放送用ネットワークを介して通信される放送映像番組及びアクセス情報を連結したイベント情報が提供される情報提供サービスシステムにおいて、
放送映像番組イベント情報、商品購入決裁情報及びこれらの情報に連結されたアクセス情報が格納され、かつ
イベント情報が、商品販売業者ライン情報、任意団体ライン情報及びスポンサライン情報からなり、
イベント提供者である、放送映像番組で放映される商品の販売を行う商品販売業者と、その下位に位置し、イベント媒体である、該放送映像番組に出演する俳優及び該出演時に俳優が所持し、あるいは画面で放映されることで関連した俳優関連商品、更にその下位に位置して画面放映イベント媒体である、当該俳優、及び俳優関連商品の内、画面で放映された画面放映の俳優関連商品（画面放映俳優関連商品）、更にその下位に位置して画面放映の俳優関連の商品であって商品販売可能な販売商品がツリー構造として前記商品販売業者ライン情報が構成され、
イベント提供者である、放送映像番組で放映されるロケ地に関係する任意団体、その下位に位置し、イベント媒体である、該放送映像番組で画面に放映されるロケ地、更にその下位に位置して画面放映イベント媒体である、画面に放映される各ロケ地（画面放映ロケ地）、更にその下位に位置して画面放映ロケ地の紹介記事及び販売可能な地方産品からなるロケ地詳細ＰＲ記事がツリー構造として前記任意団体ライン情報が構成され、
イベント提供者であるスポンサーと、その下位に位置して、イベント媒体である個々のスポンサー、更にその下位に位置して画面放映イベント媒体である、個々のスポンサーあるいは個々のスポンサーと該スポンサーのコマーシャル商品（画面放映スポンサー）、更にその下位に位置して該画面放映イベント媒体の詳細案内及びその個々のコマーシャル商品がツリー構造で前記スポンサーライン情報が構成され、
前記３つのツリー構造で、Ｘ軸に画面放映イベント媒体が並列され、Ｙ軸に各ラインのライン情報が上位と下位の関係で直列されたＸ−Ｙ軸配列イベント情報が構成されて格納される格納手段と、
放送映像番組及びアクセス情報を連結した画面放映イベント媒体を顧客の映像設備に配信し、この時に、俳優及び画面放映俳優関連商品、画面放映ロケ地及び画面放映スポンサーを放送映像番組の配信と同時に、アクセス情報と連結して配信し、
顧客の映像設備から送信された当該アクセス情報を受信し、当該アクセス情報が指示する前記Ｘ−Ｙ軸配列イベント情報の内のいずれかのライン情報及び商品購入決裁情報を顧客の映像設備に配信し、
顧客が購入する俳優関連商品の販売商品、地方産品の販売商品及びコマーシャル商品の販売商品について販売商品毎に販売額を統計し、
イベント情報を配信することで予め定めた契約に沿って各イベント提供者に配信契約料及び前記販売商品毎の販売額に所定の率を掛け算して算出された販売貢献料を販売商品該当イベント提供者の端末に送信するコンテンツ処理手段と、を備えて、前記アクセス情報によりネットワークを介してアクセス可能なコンテンツプロバイダーが構成されること
を特徴とするデータ放送システムとリンクした情報提供サービスシステムを提供する。
本発明は、また、前記商品販売業者ラインには、イベント媒体である、該放送映像番組に出演する俳優及び該出演時に俳優が所持し、あるいは画面で放映されることで関連した俳優関連商品の下位に位置するが画面放映イベント媒体とはされず、放映されない俳優関連商品、更にその下位に位置して商品販売可能な販売商品が前述の販売商品に並列してツリー構造に加えられ、
前記任意団体ライン情報には、イベント媒体である、該放送映像番組で画面に放映されるロケ地と同列同等の地方の下位に位置するが画面放映イベント媒体とはされず、画面に放映されない各地方、更にその下位に位置して当該ロケ地の紹介記事及び販売可能な地方産品からなる地方詳細ＰＲ記事が前述のロケ地詳細ＰＲ記事に並列してツリー構造に加えられ、
前記スポンサーライン情報には、イベント媒体である個々のスポンサーの下位に位置するが画面放映イベント媒体とはされず、画面に放映されない個々のスポンサーあるいは個々のスポンサーと該スポンサーのコマーシャル商品、更にその下位に位置して当該イベント媒体の詳細案内及びその個々のコマーシャル商品が前述のコマーシャル商品に並列してツリー構造に加えられて、Ｘ−Ｙ軸配列イベント情報が構成されて格納されること、
を特徴とするデータ放送システムとリンクした情報提供サービスシステムを提供する。  本発明は、また、前記コンテンツプロバイダーは、画面放映俳優関連商品、画面放映ロケ地あるいは画面放映スポンサーを順次組み替えて変換して配信することを特徴とするデータ放送システムとリンクした情報提供サービスシステムを提供する。
【００１０】
本発明は、また、前記コンテンツプロバイダーは、前記Ｘ−Ｙ軸配列イベント情報の内のいずれかのライン情報及び商品購入決裁情報を顧客の映像設備に配信するに際して、顧客の映像設備からのアクセス情報を遅れて受け取るかまたはアクセス情報を一時的に記憶しておいてその後配信することを特徴とするデータ放送システムとリンクした情報提供サービスシステムを提供する。
【００１１】
本発明は、また、データ放送システムとリンクした情報サービスシステムによる情報サービス方法において、
前記コンテンツプロバイダーが、放送映像番組及びアクセス情報を連結した画面放映イベント媒体を顧客の映像設備に配信し、この時に、俳優及び画面放映俳優関連商品、画面放映ロケ地及び画面放映スポンサーを放送映像番組の配信と同時に、アクセス情報と連結して配信し、
顧客の映像設備から送信された当該アクセス情報を受信し、当該アクセス情報が指示する前記Ｘ−Ｙ軸配列イベント情報の内のいずれかのライン情報及び商品購入決裁情報を顧客の映像設備に配信し、
顧客が購入する俳優関連商品の販売商品、地方産品の販売商品及びコマーシャル商品の販売商品について販売商品毎に販売額を統計し、
イベント情報を配信することで予め定めた契約に沿って各イベント提供者に配信契約料及び前記販売商品毎の販売額に所定の率を掛け算して算出された販売貢献料を販売商品該当イベント提供者の端末に送信すること
を特徴とする情報提供サービス方法を提供する。
【発明の効果】
【００１２】
本発明は、上述したように、３つのツリー構造で、Ｘ軸に画面放映イベント媒体が並列され、Ｙ軸に各ラインのライン情報が上位と下位との関係で直列されたＸ−Ｙ軸配列イベント情報を構成してネットワークを介して顧客の映像設備に提供するので、放送センタにストックされた、俳優が出演し、ロケ地が放映されることになる放送映像番組の活用がなされ、放送センタの収入増を図ることができ、商品販売を取り扱う業者、更には自治体などの任意団体にとってもＰＲ効果を派生せしめることができる。
【図面の簡単な説明】
【００１３】
【図１】本発明の実施例の概念を示す図。
【図２】本発明の実施例の構成を示すブロック図。
【図３】本実施例によって構成されるＸ−Ｙ軸配列のイベント情報を示す図。
【図４】本実施例のコンテンツ処理手段が備える機能を示す図。
【図５】本実施例によって提供されるＨＰの１例を示す図。
【図６】本実施例によって提供されるＨＰの１例を示す図。
【図７】本実施例によって提供されるＨＰの１例を示す図。
【図８】本実施例によって提供される画面の１例を示す図。
【図９】本実施例の処理フローを示す図。
【図１０】本実施例で用いられるＤＢレイアウトを示す図。
【図１１】本実施例で用いられる他のＤＢレイアウトを示す図。
【図１２】本実施例によって派生するメリットを示す図。
【発明を実施するための形態】
【００１４】
以下、本発明の実施例を図面に基づいて説明する。
【実施例】
【００１５】
図１は、本発明の実施例の概念を示す図である。
【００１６】
図１において、本発明の実施例であるデータ放送システムとリンクした情報提供サービスシステム１００は、放送センタ１と顧客２との間に商品販売業者３、任意団体４及びスポンサー５が介在して構成される。放送センタ、顧客、商品販売業者あるいは任意団体と称した場合に、これら機関が所有し、使用する端末その他の電子機器を意味するものとする。他の用語の場合も同様である。
【００１７】
放送センタ１はテレビ局で構成され、顧客２はコンシューマ／企業あるいは商品購入者で構成され、商品販売業者３はテレビ放映される番組に出演する出演者の所持品あるいは画面で放映されることで関連した商品、すなわち俳優関連商品が顧客によって購入されるサイトである購入サイトで構成される。関連するとは、俳優自体が身につけていなくても俳優がその番組に出演することによって関連づけられた製品という場合であって、俳優がたまたま座った椅子、側にあった家具とかという意味である。
【００１８】
任意団体４は、国とか地方公共団体とか営利を目的としない自治体で構成され、スポンサー５はテレビ放映番組の通常の意味のスポンサーで構成される。
【００１９】
放送センタ１からは、顧客２に放送コンテンツ配信６される。この際に、放送映像番組及びアクセス情報に連結したイベント情報が提供される。イベント情報提供に当っては、放送コンテンツ配信６に当って、放送センタ１と商品販売業者３、任意団体４及びスポンサー５との間には予め配信契約が締結され、放送映像番組に商品又は情報の広告宣伝情報が一体的に放映されること、これに伴って配信契約料が放送センタ１に支払われることになること、及び商品購入決裁情報２２（図２）に基づいた商品購入があった時には、その額に対応した販売貢献料が放送センタ１に支払われることが約束される。このようにして、データ放送システムとリンクした情報提供サービスシステム１００が構成される。そして、この情報提供サービスシステム１００は、放送センタ１から放送用ネットワークを介して通信される放送映像番組及びアクセス情報を連結したイベント情報を顧客に、すなわち顧客の映像設備（デジタルテレビあるいはパソコン等の映像機器）に提供する。放送映像番組にアクセス情報を関連づけて配信することはよく知られたことである。以上のように、デジタルテレビ及びＵＲＬを含むインターネットを活用した放送と通信とを融合した情報提供サービスシステム１００が構築される。放送センタ１は、その内部にコンテンツプロバイダを有する。コンテンツプロバイダは、放送センタ１とは独立した機関に放送センタ１とは独立した形態で設けられてもよい。以下の説明では、放送センタ１内にコンテンツプロバイダーを設置した場合について説明するが、これに限定されない。また、複数あっても構わない。コンテンツプロバイダーは、情報プロバイダーであり、電話ネットワークあるいはインターネットなどのネットワークに接続されるとともに、放送センタ１にデータ放送用のイベント情報である放送コンテンツを提供する。
【００２０】
図２は、このコンテンツプロバイダー１０の構成をブロックで示している。コンテンツプロバイダー１０は、格納手段１１、コンテンツ処理手段１２、送受信手段１３及び画面表示手段１４から構成される。格納手段１１は、放送映像番組２１、商品購入決裁情報２２、イベント情報２３、アクセス情報アクセス状態２８及びアクセス情報２９についての情報を格納する。アクセス情報２９は、放送映像番組２１、商品購入決裁情報２２及びイベント情報２３を連結し、融合させる。これによって放送映像番組２１及びアクセス情報２９に連結したイベント情報２３が構築される。放送映像番組２１は、主に放送センタ１にストックされた放送映像番組が該当するが、これに限定されない。本実施例で対象となる放送映像番組は、当番組に出演する俳優がいること及び当番組でロケ地が放映されることになる番組である。このような番組でストックされている番組は膨大な数となる。
【００２１】
商品購入決裁情報２２は、商品購入のための電子手法が含まれ、購入方法、決裁方法、購入資格確認、決裁等を電子で処理するための情報を含む。このような商品購入決裁には公知の商品購入決裁方法が含まれる。
【００２２】
イベント情報２３は、商品販売業者ライン情報２４、任意団体ライン情報２５、スポンサーライン情報２６及びＸ−Ｙ軸配列イベント情報構成２７を含んで構成される。図３は、商品販売業者ライン情報２４、任意団体ライン情報２５及びスポンサーライン情報２６の構成を示す。
【００２３】
図３において、商品販売業者ライン情報２４が、契約済のイベント提供者６１である、放送映像番組２１で放映される商品の販売を行う商品販売業者３１と、その下位に位置し、イベント媒体６２である、この放送映像番組２１に出演する俳優及び該出演時に俳優が所持し、あるいは画面で放映されることで関連した俳優関連商品３２、３２Ａ、更にその下位に位置して画面放映イベント媒体６３である、当該俳優、及び俳優関連商品３２、３２Ａの内、画面で放映された画面放映の俳優関連商品３３、３３Ａ（画面放映俳優関連商品）、更にその下位に位置して画面放映の俳優関連の商品であって商品販売可能な販売商品３５、３５Ｂがツリー構造として構成される。この場合に、販売商品３５、３５Ａは、販売商品及び詳細ＰＲ記事６５に該当する。ここで俳優とは俳優画像のことである。
【００２４】
任意ライン情報２５が、イベント提供者６１である、放送映像番組で放映されるロケ地に関係する任意団体４１、その下位に位置し、イベント媒体６２である、この放送映像番組２１で画面に放映されるロケ地４２、４３、更にその下位に位置して画面放映イベント媒体６３である、画面に放映される各ロケ地４４、４４Ａ（画面放映ロケ地）、更にその下位に位置して画面放映ロケ地の紹介記事及び販売可能な地方産品からなるロケ地詳細ＰＲ記事４６、４６Ａがツリー構造として構成される。この場合に、ロケ地詳細ＰＲ記事４６、４６Ａは、販売商品及び詳細ＰＲ記事に該当する。そして、これらにはこれら地方で企画、運営される様々なアクションが含まれることになる。
【００２５】
スポンサーライン情報２６が、イベント提供者であるスポンサー５１と、その下位に位置して、イベント媒体６２である個々のスポンサー５２、更にその下位に位置して画面放映イベント媒体６３である、個々のスポンサーあるいは個々のスポンサーと該スポンサーのコマーシャル商品５３（画面放映スポンサー）、更にその下位に位置してこの画面放映イベント媒体の詳細案内及びその個々のコマーシャル商品５５がツリー構造で構成される。この場合に、詳細案内及びその個々のコマーシャル商品５５は、販売商品及び詳細ＰＲ記事６５に該当する。
そして、Ｘ−Ｙ軸配列イベント情報が上述の３つのツリー構造で、Ｘ軸に画面放映イベント媒体６３が並列され、Ｙ軸に各ラインの上述したライン情報が上位と下位の関係で直列されたＸ−Ｙ軸配列で構成されて格納手段１１に格納される。
【００２６】
このように、イベント情報２３が、販売業者ライン情報２４、任意団体ライン情報２５及びスポンサーライン情報２６から構成される。
【００２７】
このように、提供情報は、画面放映俳優関連商品、画面放映ロケ地及び画面放映スポンサーを中心にしてまとめられる。これらは初期に画面に放映される媒体である。
【００２８】
図３において、商品販売業者ライン情報２４には、イベント媒体６２である、放送映像番組に出演する俳優及び該出演時に俳優が所持し、あるいは画面で放映されることで関連した俳優関連商品３２、３２Ａの下位に位置するが画面放映イベント媒体６３とはされず、初期の段階で放映されない俳優関連商品３４、３４Ａ、更にその下位に位置して商品販売可能な販売商品３６、３６Ａが前述の販売商品に並列してツリー構造に加えられる。
【００２９】
前記任意団体ライン情報２５には、イベント媒体６２である、放送映像番組で画面に放映されるロケ地と同列同等の地方４３の下位に位置するが画面放映イベント媒体６３とはされず、初期の段階で画面に放映されない地方４５、更にその下位に位置して当該地方の紹介記事及び販売可能な地方産品からなる地方詳細ＰＲ記事４６Ｂが前述のロケ地詳細ＰＲ記事４６、４６Ａに並列してツリー構造に加えされる。そして、４６Ｂは４６、４６Ａに同列同等とされる。
【００３０】
スポンサーライン情報２６には、イベント媒体６２である個々のスポンサー５２Ｂの下位に位置する画面放映イベント媒体６３とはされず、初期の段階で画面に放映されない個々のスポンサーあるいは個々のスポンサーと該スポンサーのコマーシャル商品５４、更にその下位に位置して当該イベント媒体の詳細案内及びその個々のコマーシャル商品５５Ａが前述のコマーシャル商品に並列してツリー構造に加えられて、Ｘ−Ｙ軸配列イベント情報がリンク付けされて構成されて格納される。５５Ａは、５５に同列同等とされる。
【００３１】
ここで、図３に示す例にあっては、俳優関連商品３２、３２Ａとは、具体的には俳優の所持するサングラスであり、俳優の所持するブローチである。また、画面放映の俳優関連商品３３、３３Ａとは、個々のサングラスＡであり、個々のブローチＡであり、これらが画面放映俳優関連商品とされる。勿論、サングラス、ブローチ以外の商品が加えられてよい。
【００３２】
俳優＋サングラスＢ３４あるいは俳優＋ブローチＢ３４Ａは画面放映イベント媒体６３である俳優＋サングラスＡ３３あるいは俳優＋ブローチＡ３３Ａと同等であるが、初期の段階で放映されないので同列とはされず、他の具体的なイベント媒体６４とされ、顧客のアクセスに対応して画面に表示、放映される。このようにすることによって、商品販売業者３１は、俳優の人気を活用することによって放映された俳優関連商品３３、３３Ａばかりでなく、放送映像番組で放映されなかった俳優関連商品３４、３４Ａについても広告宣伝することができる。
【００３３】
図３の例では、サングラス及びブローチについて示したが、これらに限定されず、商品販売業者３１が望むならば画面に放映された商品についても放映された俳優関連商品としてイベント媒体６２に加えることができる。
【００３４】
同様にして、各ロケ地４４、４４Ａが画面放映ロケ地となる。任意団体が管轄、関係する地方には、放映される放送映像番組２１で、実際にロケ地となった地方の外に放映されなかった地方が存在する。任意団体４１がこれらの地方Ｃ４５についてもＰＲ宣伝したいと願う場合がある。
【００３５】
この地方Ｃは画面放映イベント媒体６３とはされないが、顧客がアクセス情報２９を使用してアクセスして来た時に、画面に放映できるようにするために、地方Ｃ及びこれに関連した当該地方の紹介記事及び販売可能な地方産品あるいは企画、運営されるアトラクションが格納され、随時放映に供される。
【００３６】
スポンサーＡ又はスポンサーＡとコマーシャル商品Ａ５３は画面放映イベント媒体６３として俳優＋サングラスＡ、ロケ地Ａと共に画面上に放映されるが、初期段階で放映されず、顧客がアクセスを望む場合にのみ放映され、広告宣伝に加わるスポンサーが考えられる。
【００３７】
このスポンサーがスポンサーＢ５２Ａに該当する。スポンサーＢ又はスポンサーＢ及びコマーシャル商品Ｂ５４は、スポンサーＢの下位に位置し、スポンサーＡ又はスポンサーＡとコマーシャル商品Ａと同等であるが同列ではない。それらの個々のコマーシャル商品５５Ａは、コマーシャル商品５５Ａと同列同等として格納され、要求に応じて随時放映に供される。
【００３８】
図２に戻って、コンテンツプロバイダー１０のコンテンツ処理手段１２は、編集手段７６、画面放映イベント媒体配信手段７７、Ｘ−Ｙ軸配列イベント情報配信情報配信手段７８、統計処理手段７９、配信契約料及び販売貢献料決裁手段８０及びこれらの手段と結合、連携したアクセス情報配信手段６６を含んで構成される。
【００３９】
編集手段７６は、放送映像番組２１である放送コンテンツにイベント情報２３を連結して放送コンテンツイベント情報を編集する放送コンテンツ編集部を備え、編集した放送コンテンツイベント情報を放送コンテンツ送信部に送信する。
【００４０】
画面放映イベント媒体配信手段７７は、放送映像番組２１及びアクセス情報２９を連結した画面放映イベント媒体６３を顧客の映像設備に配信し、この時に、俳優及び画面放映俳優関連商品３３、画面放映ロケ地４４及び画面放映スポンサー５３を放送映像番組２１の配信と同時に、アクセス情報２９と連結して配信する。
【００４１】
Ｘ−Ｙ軸配列イベント情報配信手段７８は、顧客の映像設備から送信された当該アクセス情報を受信し、当該アクセス情報が指示するＸ−Ｙ軸配列イベント情報の内のいずれかのライン情報及び商品購入決裁情報２２を顧客の映像設備に配信する。
【００４２】
統計処理手段７９は、顧客が購入する俳優関連商品の販売商品、地方産品の販売商品及びコマーシャル商品の販売商品について販売商品毎に販売額を統計する。
【００４３】
配信契約料及び販売貢献料決裁手段８０は、イベント情報を配信することで予め定めた契約に沿って各イベント提供者に配信契約料及び前記販売商品毎の販売額に所定の率を掛け算して算出された販売貢献料を販売商品該当イベント提供者の端末に送信する。
【００４４】
コンテンツプロバイダー１０は、画面放映俳優関連商品、画面放映ロケ地あるいは画面放映スポンサーを順次組み替えて変換し配信する。
【００４５】
また、コンテンツプロバイダー１０は、Ｘ−Ｙ軸配列イベント情報の内のいずれかのライン情報及び商品購入決裁情報を顧客の映像設備に配信するに際して、アクセス情報アクセス状態２８によって、顧客の映像設備からのアクセス情報を遅れて受け取るかまたはアクセス情報を遅れることなく受信しながら一時的に記憶しておいてその後配信することを行うことができる。
【００４６】
図４は、コンテンツ処理手段１２が、格納手段１１に格納された各種情報を利用して、それが持つ各種手段によって処理する内容を示す。
【００４７】
図４において、コンテンツプロバイダー１０は、インターネット７１あるいは他のネットワーク７２、７３に接続され、デジタルテレビであるユーザ端末１（７４）あるいはパソコン（ＰＣ）、携帯電話機等のユーザ端末２（７５）に接続される。
【００４８】
上述した各手段によって機能別に見て、放送コンテンツ編集部８１、放送コンテンツ送信部８２、リンク情報取込部８３、決裁情報受取部８４、決裁情報格納部８５、インターネットコンテンツ編集部８６、インターネットコンテンツ格納部８７、料金計算部８８、統計情報集計部８９及び統計情報提供部９０が構成される。
【００４９】
放送コンテンツ編集部８１は、放送映像番組と放送コンテンツ用イベント情報（画面放映イベント媒体）から放送コンテンツを編集し、放送コンテンツ送信部８２に送信する。放送コンテンツ送信部は編集されたイベント情報が連結された放送コンテンツをネットワーク７２を介してユーザ端末（１）７４（顧客の映像設備に該当）に送信する。送信された放送映像番組である放送コンテンツは、ユーザ端末７４で放映され、ユーザの便宜に供される。
【００５０】
ユーザ端末（１）７４からのアクセス情報はリンク情報取込部８３に取り込まれ、またアクセス情報に対応して格納手段に格納したＸ−Ｙ軸配列イベント情報から各ラインのライン情報がリンク情報取込部８３に取り込まれて放送コンテンツ編集部８１、放送コンテンツ送信部８２を介してユーザ端末（１）７４に送信される。ユーザがアクセス情報を活用して商品の購入を行うと、その購入情報は決裁情報受取部８４に受取られ、決裁格納部８５に格納される。格納された購入情報は商品購入履歴情報として記録される。
【００５１】
料金計算部８８は、イベント情報を配信することで予め定めた契約に沿って各イベント提供者に配信契約料及び販売商品（購入商品）毎の販売額に所定の率を掛け算して販売貢献料を算出し、電子化された請求書は、商品販売業者３１（購売サイト）、任意団体４１（自治体）あるいはスポンサー５１に発信される。算出されたこれらの料金データは商品購入統計情報とされ、統計情報提供部９０から電子化された統計情報とされ、商品販売業者３１（購売サイト）、任意団体４１（自治体）あるいはスポンサー５１に発信される。
【００５２】
同様にして、インターネットコンテンツ編集部８６は、インターネットコンテンツを編集し、インターネット用イベント情報としてインターネットコンテンツ格納部８７に格納する。格納されたインターネット用イベント情報は、ネットワーク７３を介してユーザ端末２（７５）に提供される。前述と同様に、ユーザからのアクセス情報は決裁情報受取部８４で受け取られ、同様の方法で電子化された請求書及び電子化された統計情報が作成され、商品販売業者３１、任意団体４１あるいはスポンサー５１に発信される。
【００５３】
図５−図８は、テレビ映像番組とイベント情報がリンクされているＨＰ例を示す。例えば、テレビ映像番組“ふしぎ発見！”はテレビ番組ＨＰのＵＲＬとリンクされており、これと同時に、画面放映イベント情報である初期段階で画面放映俳優関連商品、画面放映ロケ地及び画面放映スポンサーが表示、放映される。図５に示すように、例えば俳優Ｘとサングラスが商品販売業者のＵＲＬとリンクして表示、放映され、図６に示すように、ロケ地Ａがロケ地の自治体ＨＰのＵＲＬとリンクして表示、放映され、図７あるいは図８に示すように、スポンサーＡがスポンサーＡのＵＲＬとリンクして表示、放映される。
【００５４】
これらの図において、顧客である利用者が、例えば、スポンサーＡにアクセスするとリンク情報であるアクセス情報によって、右例に示す図に示す画面に切り替わる。この画面では、図３に示す販売商品及び詳細ＰＲ記事６５としての詳細案内及びコマーシャル商品５５の内容が表示、放映される。顧客がこの画面に表示された項目についてアクセスすると、リンクした詳細な情報が提示され、同時に提示される購入希望画面から購入手続がなされるようになる。
【００５５】
図８は、ユーザ端末１（７４）（顧客の映像設備に該当）の例を示し、画面放映イベント媒体表示配列が変更されている。また、右例に示される図には、テレビ映像番組が右上方に小さな区画された画面に放映される。
【００５６】
図９は、放送映像番組の生視聴・録画視聴の場合、放送後のインターネット利用の場合、リンク登録料の商品トリガフィー請求時（定期）及び商品購入統計情報の活用（定期）についての処理フローを示す。
【００５７】
図１０は、放送コンテンツ用イベント情報（図１０（ａ））、スポンサーライン情報、任意団体ライン情報としてのロケ地自治体情報、商品販売業者ライン情報としての所持品購入サイト情報（図１０（ｂ））、及びインターネット用イベント情報（図１０（ｃ））についてのＤＢレイアウトを示す。
【００５８】
図１１は、商品購入履歴情報（図１１（ａ））、及び商品購入統計情報（図１１（ｂ））についてのＤＢレイアウトを示す。
【００５９】
図１に戻って、放送センタ１、すなわち放送センタ１のコンテンツプロバイダー１０（図２）は、商品販売業者３及び任意団体４に放送映像番組とのテレビリンクを付与し、スポンサー５にコマーシャル放映を付与する。これによって、商品販売業者３は、顧客２に出演者所持品など販売商品の宣伝ＰＲを行い、任意団体４は、顧客２にご当地土産などの広告宣伝を行う。スポンサー５は、顧客２にスポンサー関連商品であるコマーシャル商品の宣伝ＰＲを行う。顧客２は、Ｘ−Ｙ軸配列イベント情報を参照し、イベント情報の内の個々のライン情報から気に入った商品の購入を行うと共に、任意団体である自治体から提供されたロケ地の観光案内を参照し、旅行の際に役立てる。
【００６０】
顧客の商品購入に伴って、商品購入代金を商品販売業者３に支払い、任意団体３に対しては土産代などの旅行者出費をなし、スポンサー５に対して商品購入代金を支払う。商品販売業者３は、放送センタ１に、リンク登録料及び商品購入トリガーフィー（商品の販売貢献料）を支払う。また、任意団体４は、放送センタ１にリンク登録料を支払う。テレビ画面を介しての商品販売がなされたような場合には、商品購入トリガーフィーを放送センタ１に支払う。
【００６１】
スポンサー５は、放送センタ１にスポンサー料及び商品購入トリガーフィーを支払う。
【００６２】
上述したデータ放送システムとリンクした情報提供サービスシステムの確立によって、図１２に示すメリットが派生する。
【００６３】
本実施例によれば、放送センタにストックされていて、俳優が出演し、ロケ地が放映されることになる放送映像番組の活用を図ることができる。新規な放送映像番組についても同様である。これによって、放送センタの収入増を図ることができ、商品販売業（購入サイト）、更には自治体などの任意団体についても地方のＰＲ効果が派生することになる。
【符号の説明】
【００６４】
１…放送センタ、２…顧客、３、３１…商品販売業者（出演者所持品など購入サイト）、４、４１…任意団体（自治体）、５、５１…スポンサー、６…放送コンテンツ配信、１０…コンテンツプロバイダー、１１…格納手段、１２…コンテンツ処理手段、２１…放送映像番組（放送コンテンツ）、２２…商品購入決裁情報、２３…イベント情報、２４…商品購入業者ライン情報、２５…任意団体ライン情報、２６…スポンサーライン情報、２７…Ｘ−Ｙ軸配列イベント情報構成、２８…アクセス情報アクセス状態、６１…イベント提供者、６２…イベント媒体、６３…画面放映イベント媒体、６４…他の具体的なイベント媒体、６５…販売商品及び詳細ＰＲ記事、６６…編集手段、６７…画面放映イベント媒体配信手段、７８…Ｘ−Ｙ軸配列イベント情報配信手段、７９…統計処理手段、８０…配信契約料及び販売貢献料決裁手段、１００…データ放送システムとリンクした情報提供サービスシステム。
【図１】
2012064111.tif 000003
【図２】
2012064111.tif 000004
【図３】
2012064111.tif 000005
【図４】
2012064111.tif 000006
【図５】
2012064111.tif 000007
【図６】
2012064111.tif 000008
【図７】
2012064111.tif 000009
【図８】
2012064111.tif 000010
【図９】
2012064111.tif 000011
【図１０】
2012064111.tif 000012
【図１１】
2012064111.tif 000013
【図１２】
2012064111.tif 000014